(57)【要約】【課題】従来の構成に比べて効率よい熱交換が可能な熱交換器を提供すること。【解決手段】粒径がナノメートルオーダーの気泡が液体中に分散したナノバブル分散液が流動する流動路（４）と、前記流動路（４）のナノバブル分散液を気化させる熱交換部（２）と、を備えたことを特徴とする熱交換器（２＋４）。【選択図】図１
2017009145.tif 000002
【特許請求の範囲】
【請求項１】
粒径がナノメートルオーダーの気泡が液体中に分散したナノバブル分散液が流動する流動路と、
前記流動路のナノバブル分散液を気化させる熱交換部と、
を備えたことを特徴とする熱交換器。
【請求項２】
液体と気体を混合されて液体に気泡が分散した混相流体を、２以上の穴から大気圧以上の圧力で噴射して、前記穴から噴射した混相流体どうしを衝突させることで前記ナノバブル分散液を生成するナノバブル生成装置であって、前記ナノバブル分散液の流動方向に対して、前記熱交換部の上流側の前記流動路に配置された前記ナノバブル生成装置、
を備えたことを特徴とする請求項１に記載の熱交換器。
【請求項３】
請求項１または２に記載の熱交換器を有する空気調和装置。
【発明の詳細な説明】
【技術分野】
【０００１】
本発明は、熱交換器および熱交換器を備えた空気調和装置に関し、特に、液体を気体にする熱交換器および前記熱交換器を備えた空気調和装置に関する。
【背景技術】
【０００２】
熱交換器を有する空気調和装置、いわゆる、エアコンでは、室内に設置される本体部で、冷媒が室内の空気から熱を奪って室内を冷やし、室外に設置される室外機で冷媒が放熱され、再度本体部に供給される。このような空気調和装置に関し、特許文献１に記載の技術が公知である。
【０００３】
特許文献１（特開２０１２−２３３６１６号公報）には、水またはアルコールを冷媒液として使用し、冷媒液をポンプ（４０）で熱交換器（３１）に送り、熱交換器（３１）で加熱された冷媒液を蒸発器（２４）に戻すことで、熱交換器（３１）に供給される空気を冷媒液で冷却する構成が記載されている。
【先行技術文献】
【特許文献】
【０００４】
【特許文献１】特開２０１２−２３３６１６号公報（「００１４」〜「００１７」、図１）
【発明の概要】
【発明が解決しようとする課題】
【０００５】
（従来技術の問題点）
従来の空気調和装置では、冷媒液として、工業用水等の水道水が広く使用されており、熱交換器における熱交換の効率は、水の蒸発速度に依存していた。したがって、熱交換の効率を向上させるには限界があった。
一方で、水以外の冷媒を使用すると、配管を密閉する必要があったり、冷媒自体の費用や、冷媒の廃棄に手間や費用がかかったりする問題があった。
【０００６】
本発明は、従来の構成に比べて効率よい熱交換が可能な熱交換器を提供することを技術的課題とする。
【課題を解決するための手段】
【０００７】
前記技術的課題を解決するために、請求項１に記載の発明の熱交換器は、
粒径がナノメートルオーダーの気泡が液体中に分散したナノバブル分散液が流動する流動路と、
前記流動路のナノバブル分散液を気化させる熱交換部と、
を備えたことを特徴とする。
【０００８】
請求項２に記載の発明は、請求項１に記載の熱交換器において、
液体と気体を混合されて液体に気泡が分散した混相流体を、２以上の穴から大気圧以上の圧力で噴射して、前記穴から噴射した混相流体どうしを衝突させることで前記ナノバブル分散液を生成するナノバブル生成装置であって、前記ナノバブル分散液の流動方向に対して、前記熱交換部の上流側の前記流動路に配置された前記ナノバブル生成装置、
を備えたことを特徴とする。
【０００９】
前記技術的課題を解決するために、請求項３に記載の発明の空気調和装置は、
請求項１または２に記載の熱交換器を有する。
【発明の効果】
【００１０】
請求項１，３に記載の発明によれば、ナノバブル分散液を使用しない従来の構成に比べて、効率よい熱交換が可能な熱交換器を提供することができる。
請求項２に記載の発明によれば、水撃式のナノバブル生成装置を使用しない場合に比べて、多くのナノバブルが分散するナノバブル分散液を生成することができ、熱交換の効率を向上させることができる。
【図面の簡単な説明】
【００１１】
【図１】図１は本発明の実施例１の熱交換器を備えた空気調和装置の説明図である。
【図２】図２は蒸発速度の計測実験の結果の説明図であり、図２Ａは横軸に時間を取り縦軸に重さを取ったグラフ、図２Ｂは横軸に時間を取り縦軸に蒸発速度を取ったグラフである。
【図３】図３は実施例２の熱交換器を有する発電施設の説明図である。
【発明を実施するための形態】
【００１２】
次に図面を参照しながら、本発明の実施の形態の具体例（以下、実施例と記載する）を説明するが、本発明は以下の実施例に限定されるものではない。
なお、以下の図面を使用した説明において、理解の容易のために説明に必要な部材以外の図示は適宜省略されている。
【実施例１】
【００１３】
図１は本発明の実施例１の熱交換器を備えた空気調和装置の説明図である。
図１において、実施例１の空気調和装置１は、家屋やビル等の部屋に設置された第１の熱交換部の一例としてのエアコン本体２と、屋外に設置された第２の熱交換部の一例としての冷却塔３とを有する。エアコン本体２と冷却塔３とは、流動路の一例としての配管４で接続されている。配管４は、エアコン本体２と冷却塔３との間で冷媒の一例であって、ナノバブル分散液の一例としてのナノバブルを循環させるように配置されている。配管４には、配管内のナノバブル水を流動させるポンプ６が配置されている。また、冷却塔３からエアコン本体２に向けて流動する配管４上に、すなわち、エアコン本体２の上流側には、ナノバブル生成装置７が配置されている。
【００１４】
ナノバブル生成装置７は、粒径がナノメートルオーダーの気泡が液体中に分散したナノバブル分散液の一例としてのナノバブル水を生成する装置である。
実施例１のナノバブル生成装置７は、筒の周面を貫通する２以上の穴が形成され、液体の一例としての水と気体の一例としての空気が混合された混相流体が穴を通じて大気圧以上の圧力で穴の外から内に向けて噴射され、対向する２つの穴から噴射された混相流体どうしが衝突されて（水撃方式）、ナノメートルオーダーの気泡が液体中に分散したナノバブル水が生成される。なお、このようにして作成されたナノバブル水を、クライオ電子顕微鏡で観察した結果、ナノバブル水を凍結したアモルファス氷中のナノバブルの平均粒径が７ｎｍであり、１ｃｃ当たり、８．１×１０１７個のナノバブルが含まれていることが確認された。
なお、このようなナノバブル生成装置７は、従来公知であり、例えば、特許第５５５５８９２号公報等に記載されているため、詳細な説明は省略する。
前記エアコン本体２および配管４により、実施例１の熱交換器２＋４が構成されている。
【００１５】
（実施例１の作用）
前記構成を備えた実施例１の空気調和装置１では、配管４にはナノバブル水が流動している。ナノバブル水は、エアコン本体２を通過する際に、少なくとも一部が気化して除熱して、室内を冷却するとともに、冷却塔３を通過する際に、冷却されて液化する。そして、液化した水は、ナノバブル生成装置７を通過する際に、ナノバブルが分散され、エアコン本体２に向けて供給される。
【００１６】
ここで、ナノバブル水は、ナノバブルの存在しない水に比べて、蒸発速度（気化速度）が速い。ナノバブル水の蒸発速度が速い理由の詳細は不明であるが、以下の理由ではないかと推察される。ナノバブルが分散する溶液では、ナノバブルの存在により、溶液中に気液界面が多数形成された結果、気液界面の表面エネルギーの分だけ自由エネルギーが大きいと考えられる。その結果、液水の見かけの比熱を小さくすることができるのではないかと推察される。
【００１７】
したがって、ナノバブル水を使用した場合、ナノバブルの存在しない水に比べて、液体温度が上昇しやすくなり、その結果、単位時間当たりの水の蒸発量が増大することで気化熱を大きくすることができる。よって、ナノバブル水は、ナノバブルの存在しない水に比べて、冷却対象から奪う熱が多く、冷却効率が高い。したがって、冷却塔等において、工業用水等の水道水を使用する従来の空気調和装置に比べて、実施例１の空気調和装置１では、エアコン本体２において、室内の空気を冷却する効率が向上する。
【００１８】
（蒸発実験）
実施例１の効果を確認するために、ナノバブル水とナノバブルの入っていない水の一例としての水道水との蒸発速度の計測実験を行った。実験は、同一のシャーレに、一定量のサンプルをとり、無風化において、蒸発速度を計測する。電子天秤上に、一定量のサンプルを入れたシャーレをおいて、その重量変化を２９時間計測する。なお、周囲雰囲気は、エアコンで室温制御しているためか、温度、湿度ともに必ずしも一定ではないので、２つのサンプルを同時に計測を行うことで比較実験を行う。なお、実験条件（温度、湿度）は、初期が、２４．７℃、３１％であり、終了時が、２５．１℃、２６％であった。実験結果を、図２に示す。
【００１９】
図２は蒸発速度の計測実験の結果の説明図であり、図２Ａは横軸に時間を取り縦軸に重さを取ったグラフ、図２Ｂは横軸に時間を取り縦軸に蒸発速度を取ったグラフである。
図２において、ナノバブル水の方が水道水よりも蒸発速度が高いことが確認された。また、図２Ａおよび図２Ｂのグラフから、ナノバブル水の蒸発速度は、水道水の蒸発速度よりも３０％以上速いことが確認された。したがって、熱交換の効率、すなわち、冷却効率も水道水を使用する場合に比べて、向上することがわかる。よって、空気調和装置１の冷却効率が高まり、消費電力の低減にも寄与し、省エネルギー化される。
また、実施例１では、冷媒として水が使用されており、特殊な冷媒を使用する場合に比べて、低コストで調達可能であるとともに、排水処理等も簡便であり、低コストで環境負荷も少なくすることができる。
【実施例２】
【００２０】
次に本発明の実施例２の説明をするが、この実施例２の説明において、前記実施例１の構成要素に対応する構成要素には同一の符号を付して、その詳細な説明は省略する。
この実施例は下記の点で、前記実施例１と相違しているが、他の点では前記実施例１と同様に構成される。
【００２１】
図３は実施例２の熱交換器を有する発電施設の説明図である。
図３において、実施例２の発電施設の一例としての火力発電施設１１では、ナノバブル分散液の一例としてのナノバブル水が流動する配管１２を有する。配管１２には、ナノバブル水を流動させるポンプ１３が設置されている。ナノバブル水の流動方向に対して、ポンプ１３の下流側には、実施例１と同様のナノバブル生成装置１４が設置されている。ナノバブル水の流動方向に対して、ナノバブル生成装置１４の下流側には、第１の熱交換部の一例であって、蒸気発生装置の一例としてのボイラー１６が配置されており、配管１２は、ボイラー１６内部を通過する。ボイラー１６は、配管１２を通じてナノバブル水を加熱する熱源１６ａを有する。
【００２２】
ボイラー１６の下流側には、発電部１７が配置されている。発電部１７には、ボイラー１６で発生した蒸気が流入するタービン室１２ａが設けられている。タービン室１２ａには、蒸気で回転するタービン１８が配置されており、タービン１８は、回転軸１８ａを中心として回転可能である。回転軸１８ａは、発電機１９に接続されている。
前記発電部１７の下流側の配管１２上には、第２の熱交換部の一例として、蒸気を冷却して液体に戻す復水器２１が配置されている。
前記配管１２およびボイラー１６により、実施例２の熱交換器１２＋１６が構成されている。
【００２３】
（実施例２の作用）
実施例２の火力発電施設１１では、ナノバブルの存在しない水に比べて、蒸発速度の速いナノバブル水がボイラー１６で気化されて蒸気となる。したがって、ボイラー１６における熱交換の効率、すなわち、蒸気の発生効率が向上し、ボイラー１６における消費エネルギーも低減される。すなわち、熱源１６ａの燃料代の削減にも寄与し、ＣＯ２の排出量の削減も期待できる。
【００２４】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ04）を下記に例示する。
（Ｈ01）前記実施例において、ナノバブル水の生成装置として、加圧減圧方式＋水撃式のナノバブル水の生成装置を採用する方が、水中に分散されたナノバブルの個数が多いため好ましいが、他のナノバブル水の生成装置を採用することも可能である。
【００２５】
（Ｈ02）前記実施例において、ポンプの設置位置等の具体的な構成は例示した構成に限定されず、設置可能な任意の位置に変更可能である。また、浄水器や給水用の配管、排水用の配管等の例示していない構成を追加することも可能である。
（Ｈ03）前記実施例１において、冷却塔３を有する空気調和装置１を例示したが、これに限定されない。配管とファンとを有する、いわゆるエアコンの室外機の構成とすることも可能である。
【００２６】
（Ｈ04）前記実施例１において、空気調和装置１に適用する場合を例示したが、これに限定されず、冷蔵機や冷凍機等の熱交換器を有する任意の構成に適用可能である。同様に、実施例２において、火力発電施設１１に適用する場合を例示したが、これに限定されず、地熱発電や原子力発電等の他の方式にも適用可能である。
【符号の説明】
【００２７】
１…空気調和装置、
２，１６…熱交換部、
２＋４，１２＋１６…熱交換器、
４，１２…流動路、
７，１４…ナノバブル生成装置。
【図１】
2017009145.tif 000003
【図２】
2017009145.tif 000004
【図３】
2017009145.tif 000005